(57)【要約】【課題】不正な操作が行われ難い遊技機用キースイッチ装置を提供する。【解決手段】キーが挿入される本体部３と、本体部３に挿入されたキー２が所定量回動するとスイッチ信号を出力するセンサ部４と、回動途中のキーを検出して回動検出信号を出力する回動検出部５と、許可条件を満たしたときに、遊技機の内部設定の変更を許可する許可信号を出力する制御部とを備える。制御部は、スイッチ信号および回動検出信号の両方が入力され、かつ、回動検出信号が入力されてからスイッチ信号が入力されるまでの時間が所定の範囲内である場合に許可信号を出力する。【選択図】図３
2019051020.tif 000002
【特許請求の範囲】
【請求項１】
キーが挿入され、キーコードが一致するキーでのみ回動可能な機構を内部に有する本体部と、
前記本体部に挿入された前記キーが所定量回動したことを検出してスイッチ信号を出力するセンサ部と、
所定量回動するまでの回動途中の前記キーを検出して回動検出信号を出力する回動検出部と、
前記スイッチ信号および前記回動検出信号が入力され、許可条件を満たしたときに、遊技機の内部設定の変更を許可する許可信号を出力する制御部と、を備え、
前記許可条件は、前記スイッチ信号および前記回動検出信号の両方が入力されていることを条件として含むことを特徴とする遊技機用キースイッチ装置。
【請求項２】
前記許可条件として、さらに、回動検出信号が入力されてからスイッチ信号が入力されるまでの時間が所定の範囲内であることを条件として含むことを特徴とする請求項１に記載の遊技機用キースイッチ装置。
【請求項３】
キーが挿入され、キーコードが一致するキーでのみ回動可能な機構を内部に有する本体部と
前記本体部に挿入された前記キーが所定量回動したことを検出してスイッチ信号を出力するセンサ部と、
所定量回動するまでの回動途中の前記キーを検出して回動検出信号を出力する回動検出部と、を備える遊技機用キースイッチ装置。
【請求項４】
許可条件を満たしたときに、遊技機の内部設定の変更を許可する許可信号を出力する制御装置であって、
遊技機用キースイッチ装置より、挿入されたキーが所定量回動したことを検出して出力されるスイッチ信号と、所定量回動するまでの回動途中の前記キーを検出して出力される回動検出信号とが入力され、
前記許可条件は、前記スイッチ信号および前記回動検出信号の両方が入力されていることを条件として含むことを特徴とする制御装置。
【請求項５】
前記許可条件として、さらに、前記回動検出信号が入力されてから前記スイッチ信号が入力されるまでの時間が所定の範囲内であることを条件として含むことを特徴とする請求項４に記載の制御装置。
【発明の詳細な説明】
【技術分野】
【０００１】
本発明は、キーの操作情報を電気信号として読み取るキースイッチ装置であって、詳細には、パチンコ機やスロットマシン等の遊技機に搭載される遊技機用キースイッチ装置に関する。
【背景技術】
【０００２】
キーの挿入や回転操作を電気信号として得るキースイッチ装置は、例えば車のスタートキースイッチ等、種々の形態で用いられている。キースイッチ装置は一般のロータリスイッチ等と異なり、錠側と同一のキーコードを有するキーをキー穴に挿入して初めて回転操作が可能となるもので、専用のキーを所有するキー所有者のみその操作を行うことができる。
【０００３】
このようなキースイッチ装置は、例えば特許文献１，２に記載されているように、パチンコ機やパチスロ機等の遊技機において、内部設定を変更するときにＯＮする設定キースイッチや、エラーを解除するためのリセットキースイッチとして用いられている。設定変更やエラー解除にキースイッチ装置を用いることで、設定変更やエラー解除に対する不正行為を防止している。
【０００４】
キースイッチ装置は、キーが挿入され、キーコードが一致するキーでのみ回動可能な機構を内部に有する本体部（錠）と、本体部に挿入されたキーが所定量回動したことを検出してスイッチ信号を出力（ＯＮ）するセンサ部とを有する。挿入されたキーのキーコードと本体部の機構のキーコードとが一致した際にキーの回動が可能になる。
【先行技術文献】
【特許文献】
【０００５】
【特許文献１】特許４５８５９１２号明細書
【特許文献２】特許４６６６９７１号明細書
【発明の概要】
【発明が解決しようとする課題】
【０００６】
しかしながら、スイッチ信号のみを用いる従来のキースイッチ装置の構成では、キーを所有していないキー非所有者がキーを用いることなく、センサ部を電気的に短絡させてスイッチ信号を出力させるといった不正が容易にできてしまう。
【０００７】
なお、車のスタートキースイッチのイモビライザの場合は、ＩＤ認証とスイッチ信号のアンド条件にて始動を許可する信号を発信するようになっており、短絡によるスイッチ信号の出力だけで始動は許可されない。しかしながら、このようなＩＤが個別に設定できる車のキーと違い、遊技機用キースイッチ装置の場合は、全国の遊技場で本体部とキーがどのように組み合わされるか分からないため、同様の手法を用いることはできない。
【０００８】
本発明の一態様は、上記課題に鑑みなされたもので、不正な操作が行われ難い遊技機用キースイッチ装置を提供することにある。
【課題を解決するための手段】
【０００９】
本発明は、上述した課題を解決するために、以下の構成を採用する。
【００１０】
すなわち、本発明の一側面に係る遊技機用キースイッチ装置は、キーが挿入され、キーコードが一致するキーでのみ回動可能な機構を内部に有する本体部と、前記本体部に挿入された前記キーが所定量回動したことを検出してスイッチ信号を出力するセンサ部と、所定量回動するまでの回動途中の前記キーを検出して回動検出信号を出力する回動検出部と、前記スイッチ信号および前記回動検出信号が入力され、許可条件を満たしたときに、遊技機の内部設定の変更を許可する許可信号を出力する制御部と、を備え、前記許可条件は、前記スイッチ信号および前記回動検出信号の両方が入力されていることを条件として含む。
【００１１】
上記構成では、本体部とキーコードが一致するキーを用いることなく短絡させてスイッチ信号を出力させたとしても、回動検出部から回動検出信号が出力されないので、制御部が許可信号を出力することはなく、遊技機を内部設定の変更を許可しない状態に保持できる。また、センサ部に代えて回動検出部を短絡させて回動検出信号を出力させたとしても、センサ部からスイッチ信号が出力されないため、この場合も、制御部が許可信号を出力することはない。これにより、従来構成よりも不正な操作が行われ難い構成とできる。
【００１２】
上記一側面に係る遊技機用キースイッチ装置において、前記許可条件として、さらに、回動検出信号が入力されてからスイッチ信号が入力されるまでの時間が所定の範囲内であることを条件として含むことができる。
【００１３】
上記構成では、センサ部と回動検出部との両方を短絡させてスイッチ信号と回動検出信号の両方を入力させたとしても、回動検出信号が入力されてからスイッチ信号が入力されるまでの時間（タイミング）が所定の範囲内（キー２の正常操作と判定し得る範囲）でないかぎり、制御部が許可信号を出力することはない。つまり、回動検出信号が入力されてからスイッチ信号が入力されるまでの時間が速すぎても遅すぎても制御部が許可信号を出力することはない。これにより、不正な操作がより一層行われ難い構成とできる。
【００１４】
本発明の他の一側面に係る遊技機用キースイッチ装置は、キーが挿入され、キーコードが一致するキーでのみ回動可能な機構を内部に有する本体部と、前記本体部に挿入された前記キーが所定量回動したことを検出してスイッチ信号を出力するセンサ部と、所定量回動するまでの回動途中の前記キーを検出して回動検出信号を出力する回動検出部と、を備える。
【００１５】
本発明の一側面に係る制御装置は、許可条件を満たしたときに、遊技機の内部設定の変更を許可する許可信号を出力する制御装置であって、本発明の他の一側面に係る遊技機用キースイッチ装置より、挿入されたキーが所定量回動したことを検出して出力されるスイッチ信号と、所定量回動するまでの回動途中の前記キーを検出して出力される回動検出信号とが入力され、前記許可条件は、前記スイッチ信号および前記回動検出信号の両方が入力されていることを条件として含む。
【００１６】
本発明の一側面に係る制御装置において、前記許可条件として、さらに、前記回動検出信号が入力されてから前記スイッチ信号が入力されるまでの時間が所定の範囲内であることを条件として含むこともできる。
【００１７】
上記構成によれば、本発明の他の一側面に係る遊技機用キースイッチ装置と、本発明の一側面に係る制御装置とを組み合わせて用いることで、本発明の一側面に係る遊技機用キースイッチ装置と同様に、不正な操作が行われ難い、あるいは不正な操作がより一層行われ難い構成とできる。
【発明の効果】
【００１８】
本発明によれば、不正な操作が行われ難い遊技機用キースイッチ装置を提供することができる。
【図面の簡単な説明】
【００１９】
【図１】（ａ）（ｂ）は、実施の形態に係る遊技機用キースイッチ装置が搭載される遊技機であるパチスロ機を示す斜視図であり、（ａ）は外観を示し、（ｂ）は、扉部を開放した状態を示す。
【図２】（ａ）〜（ｃ）は、実施の形態に係る遊技機用キースイッチが搭載される遊技機であるパチンコ機を示す斜視図であり、（ａ）は外観を示し、（ｂ）は、扉部を開放した正面側の状態を示し、（ｃ）は、扉部を開放した背面側の状態を示す。
【図３】実施の形態に係る形態に係る遊技機用キースイッチ装置の外観およびその実装状態を示す斜視図である。
【図４】図３に示す遊技機用キースイッチ装置の回路図である。
【図５】図３に示す遊技機用キースイッチ装置の信号回路図である。
【図６】図３に示す遊技機用キースイッチ装置の検出フローチャートである。
【図７】実施の形態に係る他の遊技機用キースイッチ装置の回路図である。
【図８】図７に示す遊技機用キースイッチ装置の検出フローチャートである。
【図９】実施の形態に係るさらに他の遊技機用キースイッチ装置の外観およびその実装状態を示す斜視図である。
【図１０】図９に示す遊技機用キースイッチ装置の回路図である。
【発明を実施するための形態】
【００２０】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００２１】
§１  適用例
まず、図１、図２を用いて、本発明が適用される場面の一例について説明する。図１の（ａ）（ｂ）は、本実施形態に係る遊技機用キースイッチ装置１が搭載される遊技機であるパチスロ機２１を示す斜視図であり、図１の（ａ）は外観を示し、図１の（ｂ）は、扉部２３を開放した状態を示す。図１の（ａ）に示すように、パチスロ機２１は、扉部２３と筐体部２４とを備え、正面に扉錠２２が設けられている。図１の（ｂ）に示すように、パチスロ機２１において、扉キー２５を用いて扉錠２２のロックを解除することで、扉部２３を開けることができる。筐体部２４内部には、パチスロ機２１を制御する確率設定部２６が設置されている。本実施形態に係る遊技機用キースイッチ装置１（図３参照）は、確率設定部２６に適用される。
【００２２】
図２の（ａ）〜（ｃ）は、本実施形態に係る遊技機用キースイッチ装置１が搭載される遊技機であるパチンコ機３１を示す斜視図であり、図２の（ａ）は外観を示し、図２の（ｂ）は、扉部３３を開放した正面側の状態を示し、図２の（ｃ）は、扉部３３を開放した背面側の状態を示す。図２の（ａ）に示すように、パチンコ機３１は、扉部３３と筐体部３４とを備え、正面に扉錠３２が設けられている。図２の（ｂ）に示すように、パチンコ機３１において、扉キー３５を用いて扉錠３２のロックを解除することで、扉部３３を開けることができる。図２の（ｃ）に示すように、扉部３３の背面側には、パチンコ機３１を制御する確率設定部３６が設置されている。本実施形態に係る遊技機用キースイッチ装置１（図３参照）は、確率設定部３６に適用される。
【００２３】
なお、ここでは、扉キー２５、扉キー３５として、別の部材番号を付したが、同一の遊技場であれば、扉キー２５および扉キー３５は共通であり、扉錠２２および扉錠３２も同一のキーコードに設定されている。そして、遊技機用キースイッチ装置１（図３参照）で用いられるキー２（図３参照）は、利便性のため扉キー２５（３５）が流用される。
【００２４】
§２  構成例
〔実施形態１〕
図３は、本実施形態に係る遊技機用キースイッチ装置１の外観およびその実装状態を示す斜視図である。図３に示すように、本実施形態に係る遊技機用キースイッチ装置（以下、キースイッチ装置と略記することもある）１は、本体部３と、センサ部４と、回動検出部５と、図４に示す制御部８とを備える。
【００２５】
本体部３は、キーが挿入され、キーコードが一致するキーでのみ回動可能なコード機構（機構、不図示）を内部に有する。挿入されたキー２のキーコードとコード機構のキーコードとが一致した際にキー２の回動が可能になる。本体部３はシリンダ錠である。
【００２６】
センサ部４は、本体部３に挿入されたキー２が所定量回動すると、これを検出してスイッチ信号を出力する（スイッチ信号をＯＮにする）。キー２の回動の所定量は、キー２が挿入された位置から例えば９０°である。センサ部４は、例えば双投形の回路を有するスイッチを備え、スイッチ信号は制御部８に送出される。
【００２７】
回動検出部５は、所定量回動するまでの回動途中のキー２を検出して回動検出信号を出力する（回動検出信号をＯＮにする）。回動検出部５は、キー２の回動に追従して回動する回動検出フラグ６と、回動検出フラグを検出して回動検出信号を出力する回動検出センサ７とを備える。回動検出センサ７は、キー２が所定量回動する前の時点で回動検出フラグ６を検出できる位置に配設されている。回動検出信号もスイッチ信号と同様に制御部８に送出される。
【００２８】
制御部８の詳細については、図４を用いて後述するが、制御部８は、許可条件を満たしたときに、遊技機の内部設定の変更を許可する許可信号を出力する。
【００２９】
このようなキースイッチ装置１は、本実施形態では遊技機（不図示）の確率設定部１０に実装されている。確率設定部１０は、図１の（ｂ）、図２の（ｃ）に示した確率設定部２６，３６に相当し、遊技機の内部設定の１つである確率を設定するものである。確率設定部１０には、確率の設定変更を行うための設定変更スイッチ（不図示）等が設けられている。確率設定部１０は、キースイッチ装置１より許可信号が入力されることで設定変更スイッチを有効にして、確率の設定変更を受け付ける。
【００３０】
図４は、本実施形態に係る遊技機用キースイッチ装置１の回路図である。図４に示すように、制御部８には、センサ部４から出力されるスイッチ信号と、回動検出センサ７から出力される回動検出信号とが入力される。制御部８は、上述したように、許可条件を満たしたときに、遊技機の内部設定の変更を許可する許可信号を出力する。
【００３１】
許可条件としては、スイッチ信号および回動検出信号の両方が入力されていること、および回動検出信号が入力されてからスイッチ信号が入力されるまでの時間が所定の範囲内であることの２つの条件を含む。
【００３２】
すなわち、本実施形態では、制御部８は、入力されるスイッチ信号および回動検出信号に基づいて、回動検出信号およびスイッチ信号の両方が入力され（アンド条件）、かつ、回動検出信号が入力されてからスイッチ信号が入力されるまでの時間が所定の範囲内である場合に許可信号を出力する。
【００３３】
具体的には、制御部８は、タイマー機能と、判定機能、発報機能とを備えている。本体部３にキー２が挿入されて回動されると、回動検出センサ７から先ず回動検出信号が出力され（回動検出信号がＯＮになり）、その後、キー２が所定量回動したところで、センサ部４からスイッチ信号が出力される（スイッチ信号がＯＮになる）。
【００３４】
制御部８は、タイマー機能により、回動検出信号がＯＮになってからスイッチ信号がＯＮになるまでの時間を計測する。制御部８は、判定機能により、計測した時間が予め設定されている正と判定できる所定の範囲内であるか否かを判定する。計測した時間が所定の範囲内である場合に、制御部８は正常操作であると判定する。正常操作である場合、制御部８は発報機能を用いて、設定変更スイッチを有効にする許可信号を確率設定部１０に出力（発報）する。これにより、確率設定部１０は、確率の設定変更を受け付ける状態となり、設定変更が可能になる。
【００３５】
また、正常操作でないと判定した場合に、制御部８は発報機能を用いて、キースイッチ装置１あるいはキースイッチ装置１が搭載されている遊技機に対して、不正な操作が行われたあるいは行われていることを知らせる通知を、遊技機が設定されている遊技場のコンピュータ等に出力（発報）したり、遊技機から音や光を発して不正を通知したりする構成としてもよい。
【００３６】
図５は、本実施形態に係る遊技機用キースイッチ装置１の信号回路図である。キー２を挿入してＡ点からＢ点まで９０°回動すると、センサ部４における双投形の回路でＮＯ回路が閉となり、スイッチ信号がＯＮとなる。また、スイッチ信号がＯＮになる前の例えばキー２が４５°回動した時点（点Ｃ）で、回動検出部５が回動途中のキー２を検出（回動検出センサ７がキー２の回動に追従して回動する回動検出フラグ６を検出）し、回動検出信号がＯＮとなる。
【００３７】
図６は、本実施形態に係る遊技機用キースイッチ装置１の検出フローチャートである。制御部８は、Ｓ１の待機状態とＳ４の回動検出信号が入力したか否かの判断ステップとを繰り返し行っている。本体部３にキー２が挿入され（Ｓ２）、キー２が回動されると（Ｓ３）、回動検出部５より回動検出信号が出力され、制御部８は、Ｓ４にて回動検出信号の入力有りと判断する。制御部８は、回動検出信号の入力有りと判断すると、Ｓ５に進んでタイマー機能を用いて時間計測を開始し、Ｓ６に進んでスイッチ信号の入力を待つ。
【００３８】
キー２が所定量回動すると、センサ部４よりスイッチ信号が出力され、制御部８は、Ｓ６にてスイッチ信号の入力有りと判断する。制御部８は、スイッチ信号の入力有りと判断すると、Ｓ７に進んで時間計測を停止すると共に、計測した時間が所定の範囲内か否かを判断する。Ｓ７で所定の範囲内である場合のみ、Ｓ８に進み許可信号を確率設定部１０に出力する。許可信号が入力されることで、確率設定部１０は確率の設定変更を受け付ける状態に移行する。
【００３９】
スイッチ信号が出力されるキー２の所定回動量が９０°で、回動検出信号が出力されるキー２の回動地点が４５°の仕様であれば、Ｓ８の所定の時間は、例えば５０ｍｓ以上１０００ｍｓ未満とできる。ここで、５０ｍｓ未満を範囲外としているのは、キー２の通常の回動操作としては速すぎることから、センサ部４と回動検出センサ７とを同時に短絡させていることが疑われるためである。また、逆に１０００ｍｓ以上の場合は、キー２の通常の回動操作としては遅すぎることから、センサ部４と回動検出センサ７とを順に短絡させたことが疑われるためである。回動検出信号が出力されてからスイッチ信号が出力されるまでのタイミングが通常のキー２の回動操作とは考えられないような場合、許可信号が入力されず、確率設定部１０は確率の設定変更を受け付けない状態を保持する。
【００４０】
以上のように、本実施形態に係る遊技機用キースイッチ装置１においては、本体部３に挿入されたキー２が所定量回動したことを検出してスイッチ信号を出力するセンサ部４の他に、回動途中のキー２を検出して回動検出信号を出力する回動検出部５を備えている。そして、制御部８は、スイッチ信号および回動検出信号の両方の入力と、回動検出信号が入力されてからスイッチ信号が入力されるまでの時間が所定の範囲内であることの２つの条件を満たした場合に、確率設定部１０に許可信号を出力する。
【００４１】
これによれば、キー２を用いることなく短絡させてスイッチ信号を出力させたとしても、回動検出部５から回動検出信号が出力されないので、制御部８が許可信号を出力することはなく、確率設定部１０（２６，３６）を、設定変更を受け付けない状態に保持できる。
【００４２】
また、センサ部４に代えて回動検出センサ７を短絡させて回動検出信号を出力させたとしても、センサ部４からスイッチ信号が出力されないため、この場合も制御部８が許可信号を出力することはない。
【００４３】
さらに、センサ部４と回動検出センサ７との両方を短絡させてスイッチ信号と回動検出信号の両方を入力（共にＯＮ）させてアンド要件を満たしたとしても、回動検出信号が入力されてからスイッチ信号が入力されるまでの時間（タイミング）が所定の範囲内（キー２の正常操作と判定し得る範囲）でないかぎり、制御部８が許可信号を出力することはない。回動検出信号が入力されてからスイッチ信号が入力されるまでの時間が速すぎても遅すぎても制御部８が許可信号を出力することはない。これにより、不正な操作が行われ難い構成として、不正を防止することができる。
【００４４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４５】
図７は、本実施形態に係る遊技機用キースイッチ装置１Ａの回路図である。図７に示すように、制御部８に代えて制御部８Ａを備えている。実施形態１の遊技機用キースイッチ装置１においては、制御部８は、タイマー機能を有し、回動検出信号が入力されてからスイッチ信号が入力されるまでの時間が所定の範囲内であるか否かを判定し、その判定結果を、許可信号を出力する条件の１つとしていた。
【００４６】
これに対し、本実施形態に係る遊技機用キースイッチ装置１Ａにおいては、制御部８Ａは、回動検出信号およびスイッチ信号の両方が入力された場合に許可信号を出力する構成である。
【００４７】
図８は、本実施形態に係る遊技機用キースイッチ装置１Ａの検出フローチャートである。制御部８Ａは、Ｓ４において、回動検出信号の入力有りと判断すると、Ｓ６に進んでスイッチ信号の入力を待つ。制御部８Ａは、Ｓ６にてスイッチ信号の入力有りと判断すると、Ｓ８に進み許可信号を確率設定部１０に出力する。
【００４８】
センサ部４と回動検出センサ７との両方が短絡された場合は不正を防ぐことができないが、従来のスイッチ信号＝許可信号であった構成に比べると、十分に不正な操作が行われ難い構成であり、不正を防止することができる。
【００４９】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００５０】
図９は、本実施形態に係る遊技機用キースイッチ装置１Ｂの外観およびその実装状態を示す斜視図である。図９に示すように、本実施形態に係る遊技機用キースイッチ装置１Ｂは、本体部３、センサ部４および回動検出部５が固定部１５に固定され、センサ部４と回動検出センサ７とが、ケーブル１６を介して確率設定部１０に接続されている構成である。
【００５１】
図１０は、本実施形態に係る遊技機用キースイッチ装置１Ｂの回路図である。キースイッチ装置１Ｂにおいては、図１０に示す確率設定部１０の制御部１１に制御部（制御装置）８，８Ａの機能が備えられている。
【００５２】
このような構成では、キースイッチ装置１Ｂ自体に制御部を備えさせる必要がないため、キースイッチ装置１Ｂのコストを安価にできる。
【００５３】
§３  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００５４】
例えば、上記実施形態では、確率設定部１０（２３，３６）を、確率の設定変更を受け付ける状態とする所謂、「設定キースイッチ」とする構成を例示したが、エラーを解除するための「リセットキースイッチ」として用いられてもよい。
【００５５】
また、スイッチ信号が出力されるキー２の回動の所定量を９０°としていたが、その他の角度であってもよく、動検出信号が出力されるキー２の回動地点も４５°以外のその他の角度であってもよい。
【００５６】
〔ソフトウェアによる実現例〕
制御部８，８Ａは、集積回路（ＩＣチップ）等に形成された論理回路（ハードウェア）によって実現してもよいし、ソフトウェアによって実現してもよい。
【００５７】
後者の場合、制御部８，８Ａは、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５９】
１、１Ａ、１Ｂ  遊技機用キースイッチ装置
２  キー
３  本体部
４  センサ部
５  回動検出部
６  回動検出フラグ
７  回動検出センサ
８、８Ａ、１１  制御部
１０、２６、３６  確率設定部
１５  固定部
１６  ケーブル
２１  パチスロ機（遊技機）
２２、３２  扉錠
２３、３３  扉部
２４、３４  筐体部
２５、３５  扉キー
３１  パチンコ機（遊技機）
【図１】
2019051020.tif 000003
【図２】
2019051020.tif 000004
【図３】
2019051020.tif 000005
【図４】
2019051020.tif 000006
【図５】
2019051020.tif 000007
【図６】
2019051020.tif 000008
【図７】
2019051020.tif 000009
【図８】
2019051020.tif 000010
【図９】
2019051020.tif 000011
【図１０】
2019051020.tif 000012